(57)【要約】【課題】力の集中を軽減して破断の発生を確実に防止する。【解決手段】矩形状をなす閉塞壁（天壁２０）の外周縁に立設した側壁２２ａ〜２２ｄを備え、対向する一対の側壁２２ｂ，２２ｄに、閉塞壁との隅部から内向きに傾斜して延びる一対の折畳用折曲線２５を設け、非使用状態で折畳用折曲線２５に沿って折り曲げることにより各側壁２２ａ〜２２ｄを閉塞壁に重畳させて略平坦に変形可能とした包装箱構成部品（蓋体２０）において、側壁２２ａ〜２２ｄのうち、折畳用折曲線２５を形成していない他の一対の側壁２２ａ，２２ｃと、閉塞壁との境界部分に、横方向の中央に位置する中央折曲線２８と、中央折曲線２８の横方向両側に中央折曲線２８を挟んで縦方向両側に位置する一対の側方折曲線２９ａ，２９ｂとを設けた構成とする。【選択図】図１
2005289420.tif 000002
【特許請求の範囲】
【請求項１】
矩形状をなす閉塞壁と、該閉塞壁の外周縁に立設した側壁とを備え、対向する一対の側壁に、前記閉塞壁との隅部から内向きに傾斜して延びる一対の折畳用折曲線を設け、非使用状態で前記折畳用折曲線に沿って折り曲げることにより各側壁を前記閉塞壁に重畳させて略平坦に変形可能とした包装箱構成部品において、
前記側壁のうち、前記折畳用折曲線を形成していない他の一対の側壁と、前記閉塞壁との境界部分に、横方向の中央に位置する中央折曲線と、該中央折曲線の横方向両側に該中央折曲線を挟んで縦方向両側に位置する一対の側方折曲線と、を設けたことを特徴とする包装箱構成部品。
【請求項２】
前記中央折曲線の両端と、横方向両側に位置する側方折曲線の端部とを、所定間隔をもって位置するように設けたことを特徴とする請求項１に記載の包装箱構成部品。
【請求項３】
前記包装箱構成部品は、底壁の外周縁に内部に収容する商品の全高より低い周壁を設けた箱本体の上端開口を閉塞する蓋体であり、その隣接する側壁が交わる角の上部には内向きに突出して前記箱本体の周壁上端に載置される係止段部が更に設けられていることを特徴とする請求項１または請求項２に記載の包装箱構成部品。
【発明の詳細な説明】
【技術分野】
【０００１】
本発明は、下端開口の蓋体や上端開口の箱本体などの包装箱構成部品に関するものである。
【背景技術】
【０００２】
従来よりギフト商品を収容する包装箱としては、箱本体と蓋体とを別体に形成したものが広く使用されている。これらの包装箱構成部品は、図７（Ａ）に示すように、底壁または天壁となる矩形状の閉塞壁１の外周縁に、それぞれ側壁２ａ〜２ｄが連設されている。これら閉塞壁１と各側壁２ａ〜２ｄとの境界部分には、肉厚を圧縮するように罫を入れて形成した折曲線３が設けられている。また、これら側壁２ａ〜２ｄのうち、対向する一対の側壁２ａ，２ｃには、隣接する側壁２ｂ，２ｄに糊付けして貼着するための糊代部４が連設されている。
【０００３】
また、このような構成からなる箱本体および蓋体のなかには、図示のように、４面の側壁２ａ〜２ｄのうち、対向する一対の側壁２ｂ，２ｄに、前記閉塞壁１との隅部から内向きに傾斜して延びる一対の折畳用折曲線５が設けられたものも提供されている。この場合、非使用状態で各折曲線３，５に沿って折り曲げることにより、各側壁２ａ〜２ｄを前記閉塞壁１に重畳させて略平坦に変形させることがで、この状態で所定の商品の販売店などに出荷するとともに、その販売店において使用しない場合には、その状態で保管することにより保管スペースを削減できるようにしている。
【０００４】
しかしながら、このように略平坦に変形可能とした包装箱構成部品は、図７（Ｂ）に示すように、その隅部が、閉塞壁１と、折曲線３に沿って折り曲げた側壁２ｂ，２ｄと、折畳用折曲線５に沿って折り曲げた側壁２ｂ，２ｄの折曲部分と、糊代部４と、隣接する側壁２ａ，２ｃの５層構造となり、非常に厚肉となる。しかも、折畳用折曲線５により折り曲げられない側壁２ａ，２ｃは、上下にわたって折り曲げられる。そのため、平坦にした非使用状態では、折曲線３における両側部分に折り曲げに係る力が集中し、構成する紙自体の腰により弾性的に広がるばかりか、破断が生じるという問題がある。
【発明の開示】
【発明が解決しようとする課題】
【０００５】
本発明は、前記問題に鑑みてなされたもので、力の集中を軽減して破断の発生を確実に防止できる箱本体や蓋体である包装箱構成部品を提供することを課題とするものである。
【課題を解決するための手段】
【０００６】
前記課題を解決するため、本発明の包装箱構成部品は、矩形状をなす閉塞壁と、該閉塞壁の外周縁に立設した側壁とを備え、対向する一対の側壁に、前記閉塞壁との隅部から内向きに傾斜して延びる一対の折畳用折曲線を設け、非使用状態で前記折畳用折曲線に沿って折り曲げることにより各側壁を前記閉塞壁に重畳させて略平坦に変形可能とした包装箱構成部品において、前記側壁のうち、前記折畳用折曲線を形成していない他の一対の側壁と、前記閉塞壁との境界部分に、横方向の中央に位置する中央折曲線と、該中央折曲線の横方向両側に該中央折曲線を挟んで縦方向両側に位置する一対の側方折曲線と、を設けた構成としている。
【０００７】
この包装箱構成部品では、前記中央折曲線の両端と、横方向両側に位置する側方折曲線の端部とを、所定間隔をもって位置するように設けることが好ましい。
【０００８】
また、前記包装箱構成部品は、底壁の外周縁に内部に収容する商品の全高より低い周壁を設けた箱本体の上端開口を閉塞する蓋体であり、その隣接する側壁が交わる角の上部には内向きに突出して前記箱本体の周壁上端に載置される係止段部が更に設けられていることが好ましい。
【発明の効果】
【０００９】
本発明の包装箱構成部品では、折畳用折曲線を形成していない一対の側壁と閉塞壁との境界部分に、横方向の中央に位置する中央折曲線と、該中央折曲線の横方向両側に該中央折曲線を挟んで縦方向両側に位置する一対の側方折曲線とを設けているため、非使用状態において複数枚重畳されることにより厚肉になる部分は、一対の側方折曲線間に位置する面とすることができる。そのため、平坦とした非使用状態において折り曲げによる力の集中を軽減することができ、その部分の弾性的な広がりを抑制できるとともに破断を抑制できる。
【００１０】
また、中央折曲線の両端と、横方向両側に位置する側方折曲線の端部とを、所定間隔をもって位置するように設けているため、一対の側方折曲線の端部と１本の中央折曲線とは、閉塞壁に対する側壁の折り曲げにより自然に連結される。そして、この包装箱構成部品は、組み立て後の使用状態では、前記各折曲線により閉塞壁の対向する一対の稜部の両側に一対の略三角面が形成されることになるため、その外観も優れたものとすることができる。
【００１１】
さらに、前記包装箱構成部品が箱本体の周壁上端に載置される係止段部を備えた蓋体である場合には、従来例に示す問題が顕著に現れ易いが、前記構成とすることにより、その問題の発生を確実に抑制できる。
【発明を実施するための最良の形態】
【００１２】
以下、本発明の実施の形態を図面に従って説明する。
【００１３】
図１から図４は、本発明の実施形態に係る包装箱構成部品である蓋体２０を適用した包装箱を示す。この包装箱の蓋体２０は、図２および図３（Ａ），（Ｂ）に示すように、商品１０の上部が露出するようにした箱本体１１の上端開口を閉塞するものである。
【００１４】
具体的には、箱本体１１は、長方形状をなす底壁１２の各外周縁に４方を囲繞する周壁を設けたものである。この周壁を構成する各側壁１３ａ〜１３ｄは、底壁１２に連続する外側面１４と、該外側面１４に連続して内側に折り返される内側面１５とからなる２重壁からなる。また、この周壁は、内部に収容する商品１０の全高Ｔ１より低い高さＴ２に設定されている。
【００１５】
本実施形態の蓋体２０は、図４（Ａ）に示すように、周知の紙器打抜装置（図示せず）によって段ボール紙を連続した一枚のブランクとして打ち抜いて成形される。なお、前記段ボール紙は、一対の表紙と裏紙との間に波状の中しんを配設したものである。
【００１６】
この蓋体２０のブランクは、図４（Ａ），（Ｂ）に示すように、前記箱本体１１と同一形状の閉塞壁である天壁２１を備え、該天壁２１の各外周縁に、それぞれ側壁２２ａ〜２２ｄが連設されている。これら側壁２２ａ〜２２ｄのうち、図４（Ａ）中、上下に位置する側壁２２ａ，２２ｃには、隣接する側壁２２ｂ，２２ｄに貼着するための糊代部２３が設けられている。この糊代部２３は、各側壁２２ａ，２２ｃにおいて、組立状態で下部に位置するように設けられ、天壁２１との間に位置する上部には、前記箱本体１１の周壁の上端に係止する係止段部２４が設けられている。また、側壁２２ｂ，２２ｄには、前記天壁２１との隅部から先端縁に向けて内向きに近接するように４５度の角度で傾斜して延びる一対の折畳用折曲線２５が設けられている。この折畳用折曲線２５は、肉厚を圧縮するように罫を入れて形成した折曲線２６と、該折曲線２６上に所定間隔をもって設けた切断線２７とからなるリード罫により構成している。
【００１７】
これらのうち、前記折畳用折曲線２５を形成していない一対の側壁２２ａ，２２ｃと天壁２１との境界部分には、横方向の中央に位置する中央折曲線２８と、該中央折曲線２８の横方向両側に位置する一対の側方折曲線２９ａ，２９ｂとが設けられている。平坦にした非使用状態で重なる面が少ない部分に形成される前記中央折曲線２８は、罫の先端縁の肉厚を２ｍｍとすることにより太幅に形成したものである。非使用状態で重なる面が多い部分に形成される前記側方折曲線２９ａ，２９ｂは、前記中央折曲線２８を中央に位置するように挟んで縦方向両側に位置するように設けられた細幅のものである。前記中央折曲線２８の両端と、横方向両側に位置する側方折曲線２９ａ，２９ｂの端部とは、所定間隔をもって位置するように設けられている。言い換えれば、中央折曲線２８と側方折曲線２９ａ，２９ｂとの間には、これらを連続させるような折曲線は何ら設けられていない。
【００１８】
また、前記折畳用折曲線２５を形成した一対の側壁２２ｂ，２２ｄと天壁２１との境界部分には、肉厚を圧縮するように薄肉の罫を入れて形成した細幅の折曲線３０が設けられている。さらに、側壁２２ａ，２２ｃと、糊代部２３および係止段部２４との境界部分には同様に折曲線３１が設けられている。
【００１９】
前記糊代部２３と係止段部２４との境界部分には、その一部を除いて切断線３２が設けられている。この切断されない一部は、紙器打抜装置による打抜時に、抜き型の切断刃間に位置する小さな係止段部２４が一緒に持ち上げられることを防止する連続部の役割をなす。また、前記切断線３２は、側壁２２ａ，２２ｃとの境界に形成した折曲線３１を若干超えて延びるように形成されている。なお、前記糊代部２３は、図３（Ｂ）に示す組立（使用）状態において、側壁２２ａ〜２２ｄの下端から上向きに延びる高さＴ３が、前記箱本体１１の側壁１３ａ〜１３ｄの高さＴ２より若干低い寸法とされている。これにより、前記係止段部２４が箱本体１１の上端に載置された状態では、側壁２２ａ〜２２ｄの下端縁が箱本体１１の底壁１２より下方に突出せず、係止段部２４の高さ分、箱本体１１の上端より天壁２１が浮き上がった状態に保持されるように構成している。
【００２０】
前記係止段部２４には、上端となる側壁２２ｂ，２２ｄの側に、天壁２１との重畳面３３が設けられ、その境界部分に前記と同様のリード罫からなる折曲線３４が設けられている。また、組立状態で隅部となる前記係止段部２４、側壁２２ａ〜２２ｄおよび天壁２１が交わる部分には、台形状をなす打抜部３５が設けられている。この打抜部３５は、前記側方折曲線２９ａ，２９ｂの両方にかけて打ち抜かれる寸法である。
【００２１】
前記構成で打ち抜かれた蓋体２０のブランクは、前記天壁２１と略同一形状の押込部材を備えた製箱装置（図示せず）により自動的に組み立てられる。具体的には、前記ブランクを所定の押込位置に搬送しながら前記糊代部２３の所定位置にホットメルトなどの周知の接着剤を塗布する。そして、押込位置に搬送されたブランクは、押込部材によってガイド部材で囲繞された内部に押し込まれることにより、まず、一対の側壁２２ａ，２２ｃが天壁２１に対して直角に折り曲げられた後、続いて他の一対の側壁２２ｂ，２２ｄが天壁２１に対して直角に折り曲げられることにより、糊代部２３が隣接する側壁２２ｂ，２２ｄの所定位置に貼着される。
【００２２】
なお、本実施形態の蓋体２０は、側壁２２ａ，２２ｃに連設した糊代部２３が、側壁２２ｂ，２２ｄへの貼着状態で折畳用折曲線２５を超えて内側に突出する寸法となっている。そのため、その折畳用折曲線２５を超えて位置する領域には、前記接着剤を塗布せず、貼着されないように構成している。また、中央折曲線２８の両端と側方折曲線２９ａ，２９ｂの端部とは、所定間隔をもって位置するように設けられているが、前記製箱装置による組立時に、天壁２１に対して側壁２２ａ，２２ｃが折り曲げられることにより、一対の側方折曲線２９ａ，２９ｂの端部と１本の中央折曲線２８とは、自然に連結される。
【００２３】
このようにして組み立てた蓋体２０は、図１（Ａ），（Ｂ）に示すように、折畳用折曲線２５に沿って側壁２２ｂ，２２ｄを折り曲げるとともに、天壁２１に対して側壁２２ａ〜２２ｄを折り曲げることにより、従来と同様に、各側壁２２ａ〜２２ｄを天壁２１に重畳させて略平坦な状態に変形させることができる。なお、この平坦な状態への変形作業までは、前記製箱装置によって自動組立が可能である。しかし、この変形作業のみを手動により行うようにしてもよい。そして、このように変形させれた非使用前の蓋体２０は、複数枚積み重ねて紐で結束され、所定の商品１０の販売店などに出荷される。また、販売店では、使用しない蓋体２０は、同様に平坦に変形させた状態で保管される。
【００２４】
このように平坦に変形させた非使用状態の蓋体２０は、複数枚重畳されて厚肉になる隅部において、上下の壁２１，２２ａ，２２ｃにわたって折り曲げられる部分に、一対の側方折曲線２９ａ，２９ｂを設けているため、これら一対の側方折曲線２９ａ，２９ｂの間に位置する部分を面で構成することができる。そのため、平坦とした非使用状態において折り曲げによる力の集中を軽減することができ、その部分の弾性的な広がりを抑制できるとともに破断を抑制できる。特に、本実施形態の蓋体２０は、箱本体１１の周壁上端に載置される係止段部２４を設けた構成であるため、複数枚の重畳部分の稜部には、破断が生じ易いが、本実施形態では、この問題の発生を確実に防止できる。
【００２５】
一方、この蓋体２０を使用する場合には、図１（Ｃ）および図２に示すように、内向きに折り畳まれた側壁２２ａ〜２２ｄを天壁２１に対して直角に位置するように引き起こすとともに、前記係止段部２４を隣接する側壁２２ａ〜２２ｄが交わる角の上部から内向きに突出した状態に位置させる。そして、前記箱本体１１に被せると、図３（Ａ），（Ｂ）に示すように、係止段部２４の下端が箱本体１１の周壁の上端に係止する。その結果、蓋体２０の天壁２１は、箱本体１１の周壁の上端から所定間隔をもって上方に浮いた状態に保持される。即ち、蓋体２０の天壁２１が箱本体１１に収容した商品１０上に載ることはない。そのため、この蓋体２０を適用した包装箱を積み重ねたり、搬送時に上部に軽い他の物が載せられても、その荷重が商品１０に直接的に加わることはない。
【００２６】
また、この使用状態では、折り曲げにより自然に連結された中央折曲線２８と一対の側方折曲線２９ａ，２９ｂとにより、天壁２１の対向する一対の稜部には、両側に一対の略三角面が形成されることになる。そのため、この使用状態の蓋体２０は、その外観も優れたものとすることができる。
【００２７】
なお、本発明の包装箱構成部品は、前記実施形態の構成に限定されるものではなく、種々の変更が可能である。
【００２８】
例えば、前記実施形態では、糊代部２３および係止段部２４は、折畳用折曲線２５を形成していない側壁２２ａ，２２ｃに連設したが、図５に示すように、折畳用折曲線２５を形成した側壁２２ｂ，２２ｄに連設してもよい。このようにすれば、糊代部２３の全面を側壁２２ａ，２２ｃに貼着することが可能であるため、貼着強度の向上を図ることができる。
【００２９】
また、係止段部２４は、隣接する側壁２２ａ〜２２ｄのうち一方の側壁２２ａ，２２ｃにのみ連続するようにしたが、図６（Ａ），（Ｂ）に示すように、隣接する側壁２２ａ〜２２ｄの両方に連続するように設けてもよく、この係止段部２４の構成は種々の変更が可能である。隣接する側壁２２ａ〜２２ｄに連設する場合、この係止段部２４と側壁２２ａ〜２２ｄとの間に形成する折曲線３１は、表紙の側から罫を入れた所謂逆罫とするとともに、対角に向けて延びる折曲線３６を更に設けることが好ましい。
【００３０】
さらに、前記実施形態では、蓋体２０は、その天壁２１を箱本体１１の周壁の上端から所定間隔をもって上方に保持させるために、係止段部２４を設けているが、天壁２１を所定間隔をもって上方に保持させる必要がない場合には、前記係止段部２４は設けなくてもよい。
【００３１】
さらにまた、前記実施形態では、本発明の包装箱構成部品を蓋体２０に適用したが、箱本体１１の側壁１３ａ〜１３ｄを単壁により構成し、かつ、一対の側壁１３ｂ，１３ｄに折畳用折曲線２５を設けて非使用状態では平坦に変形可能とした構成である場合、前記中央折曲線２８と一対の側方折曲線２９ａ，２９ｂとからなる構成を適用することにより、同様の作用および効果を得ることができる。
【図面の簡単な説明】
【００３２】
【図１】本発明の包装箱構成部品である蓋体を示し、（Ａ）は折り畳んだ状態を示す斜視図、（Ｂ）は（Ａ）の要部断面図、（Ｃ）は広げた使用状態を示す斜視図である。
【図２】箱本体に組み付ける状態を示す分解斜視図である。
【図３】蓋によって商品を収容した箱本体を閉塞した状態を示し、（Ａ）は平面図、（Ｂ）は断面図である。
【図４】（Ａ）は蓋体のブランクを示す平面図、（Ｂ）は（Ａ）の要部を拡大した平面図である。
【図５】蓋体の変形例のブランクを示す平面図である。
【図６】蓋体の他の変形例を示し、（Ａ）はブランクの平面図、（Ｂ）は使用状態の斜視図である。
【図７】（Ａ）従来の包装箱構成部品である蓋体のブランクを示す平面図、（Ｂ）は従来の問題点を示す断面図である。
【符号の説明】
【００３３】
２０…蓋体（包装箱構成部品）
２１…天壁（閉塞壁）
２２ａ〜２２ｄ…側壁
２４…係止段部
２５…折畳用折曲線
２８…中央折曲線
２９ａ，２９ｂ…側方折曲線
【図１】
2005289420.tif 000003
【図２】
2005289420.tif 000004
【図３】
2005289420.tif 000005
【図４】
2005289420.tif 000006
【図５】
2005289420.tif 000007
【図６】
2005289420.tif 000008
【図７】
2005289420.tif 000009